(57)【要約】【課題】成分の異なる防虫剤が同じ収納庫に設置されようとした時に報知をおこない、衣類に被害が出る前に未然に使用者に注意を促す。【解決手段】無線ＩＣタグの情報を読み取る読取手段２と、報知手段４と、それらの制御手段３とを具備した衣類収納庫１において、防虫剤６ａ、６ｂに添付され、少なくとも防虫剤６ａ、６ｂの成分に関する成分情報が記録された無線ＩＣタグ２１ａ、２１ｂから情報を読取手段２で読み取り、成分情報が異なる防虫剤を検知したときに、報知手段４からその旨を報知する。【選択図】図１
2008222370.tif 000002
【特許請求の範囲】
【請求項１】
無線ＩＣタグの情報を読み取る読取手段と、報知手段と、それらの制御手段とを具備した衣類収納庫において、防虫剤に添付され、少なくとも前記防虫剤の成分に関する成分情報が記録された無線ＩＣタグから情報を前記読取手段で読み取り、前記成分情報が異なる複数の防虫剤を検知したときに、前記報知手段からその旨を報知する衣類収納庫。
【請求項２】
前記成分情報に、同じ場所に保管してはいけない他の防虫剤の成分情報と、その結果生じる被害に関する情報が記録されている請求項１記載の衣類収納庫。
【請求項３】
前記衣類または前記防虫剤の出し入れを行うための開口部と、前記開口部を閉じるための扉と、前記扉の開閉状態を検知する開閉スイッチとを具備して、
前記扉が閉じられた時点で、前記読取手段で前記無線ＩＣタグの情報を読み取って前記報知手段から報知する請求項１または２のいずれか１項に記載の衣類収納庫。
【請求項４】
前記衣類収納庫と前記扉とを電磁波遮断物質で構成した、あるいは、覆った請求項３記載の衣類収納庫。
【請求項５】
請求項１〜３のいずれか１項に記載の前記衣類収納庫の少なくとも一部をコンピュータに実行させるためのプログラム。
【発明の詳細な説明】
【技術分野】
【０００１】
本発明は、無線ＩＣタグを利用して衣類を効率的に管理する衣類収納庫と、そのプログラムに関するものである。
【背景技術】
【０００２】
近年、無線ＩＣタグ（非接触ＩＣタグ）を衣類に貼り付けておき、無線ＩＣタグ読み取り／書込み手段を収納庫に設置して在庫管理を行うことが行なわれており、更には収納庫内の環境情報を無線ＩＣタグに書き込んで保存状態を記録する方式が提案されている（例えば、特許文献１参照）。
【特許文献１】特開２００６−３１６５２５号公報
【発明の開示】
【発明が解決しようとする課題】
【０００３】
しかしながら、前記従来の構成は、同じ衣類収納庫に種類の異なる防虫剤が存在していることを検知、あるいは、その旨を報知するといったことは実現できていなかった。
【０００４】
例えば、樟脳（しょうのう）系、ナフタリン系、パラジクロルベンゼン系を衣類収納庫の庫内に同時に入れると、液化して衣類を台無しにしてしまう恐れがあるので、それを報知して被害を未然に防ぐことが望ましい。
【課題を解決するための手段】
【０００５】
そこで、前記従来の課題を解決するために、本発明の衣類収納庫においては、無線ＩＣタグの情報を読み取る読取手段と、報知手段と、それらの制御手段とを具備した衣類収納庫において、防虫剤に添付され、少なくとも前記防虫剤の成分に関する成分情報が記録された無線ＩＣタグから情報を前記読取手段で読み取り、前記成分情報が異なる複数の防虫剤を検知したときに、前記報知手段からその旨を報知するようにした。
【発明の効果】
【０００６】
これにより、衣料品の問題である防虫対策に関して、同じ衣類収納庫に、種類の異なる防虫剤が存在していることを検知、あるいは、その旨を報知することが出来るので、例えば、樟脳（しょうのう）系、ナフタリン系、パラジクロルベンゼン系のような種類の異なる防虫剤を、衣類収納庫の庫内に同時に入れた場合には、それを検知して使用者に報知するので、液化して衣類を台無しにしてしまうような被害を未然に防ぐことが期待できるようになった。
【０００７】
なお、異なる成分の防虫剤が混入した場合に起こりうる最大の問題は液化であって、その液が大切な衣類に染み込んで、シミを作ってしまうということがあげられる。以前に入れていた防虫剤があったのに、それを意識せず、新たに購入した別の成分の防虫剤をいれてしまうといったことは充分にありうる話で、その結果、大切な衣類を台無しにしてしまうといったトラブルを未然に防ぐことが期待できる。
【発明を実施するための最良の形態】
【０００８】
第１の発明は、本発明の衣類収納庫において、そこで、前記従来の課題を解決するために、本発明の衣類収納庫においては、無線ＩＣタグの情報を読み取る読取手段と、報知手段と、それらの制御手段とを具備した衣類収納庫において、防虫剤に添付され、少なくとも前記防虫剤の成分に関する成分情報が記録された無線ＩＣタグから情報を前記読取手段で読み取り、前記成分情報が異なる防虫剤を検知したときに、前記報知手段からその旨を
報知するようにした。
【０００９】
これにより、衣料品の問題である防虫対策に関して、同じ衣類収納庫に、種類の異なる防虫剤が存在していることを検知、あるいは、その旨を報知することが出来るので、例えば、樟脳（しょうのう）系、ナフタリン系、パラジクロルベンゼン系のような種類の異なる防虫剤を、衣類収納庫の庫内に同時に入れた場合には、それを検知して使用者に報知するので、液化して衣類を台無しにしてしまうような被害を未然に防ぐことが期待できるようになった。
【００１０】
なお、異なる成分の防虫剤が混入した場合に起こりうる最大の問題は液化であって、その液が大切な衣類に染み込んで、シミを作ってしまうということがあげられる。以前に入れていた防虫剤があったのに、それを意識せず、新たに購入した別の成分の防虫剤をいれてしまうといったことは充分にありうる話で、その結果、大切な衣類を台無しにしてしまうといったトラブルを未然に防ぐことが期待できる。
【００１１】
第２の発明は、特に第１の発明の衣類収納庫において、成分情報に、同じ場所に保管してはいけない他の防虫剤の成分情報と、その結果生じる被害に関する情報が記録するようにした。
【００１２】
これにより、報知する内容に予想される被害の内容を追加できるので、使用者にとってより強力な報知を行うことが出来る。
【００１３】
第３の発明は、特に第１〜２のいずれかの発明の衣類収納庫において、前記衣類と、前記防虫剤の出し入れを行うための開口部と、前記開口部を閉じるための扉と、前記扉の開閉状態を検知する開閉スイッチとを具備して、前記扉が閉じられた時点で、前記読取手段で無線ＩＣタグの情報を読み取って前記報知手段から報知するようにした。
【００１４】
これにより、防虫剤の出し入れのために扉の開け閉めを行なった後に、衣類収納庫の中に存在する防虫剤に添付された無線ＩＣタグの情報を読み取るので、衣類収納庫の中の防虫剤に変化があった可能性があるときにだけ、無線ＩＣタグより情報を読み取ることが出来る。
【００１５】
第３の発明は、特に第２の発明の衣類収納庫において、前記衣類収納庫と前記扉とを電磁波遮断物質で構成した、あるいは、覆った。
【００１６】
これにより、衣類収納庫の庫外に存在する防虫剤に添付された無線ＩＣタグの情報を読み取るというミスをおこすことがなくなり、常に衣類収納庫の中に存在している無線ＩＣタグより情報を読み取ることが出来る。
【００１７】
第４の発明は、特に第１〜３の発明のいずれかの衣類収納庫において、少なくともひとつの動作をコンピュータに実行させるためのプログラムであり、ＣＰＵ、ＲＡＭ、ＲＯＭ、記憶装置、Ｉ／Ｏなどを備えた電気情報機器、コンピュータ等のハードリソースを協働させて本発明の一部あるいは全てをプログラムとして容易に実現することができる。また記録媒体に記録あるいは、通信回線を用いてプログラム配信することにより、プログラム配布が他の手段に比べて極めて簡単に実現できる。
【００１８】
以下、本発明の実施の形態について、図面を用いて一実施形態について詳細に説明する。なお、この実施の形態によって本発明が限定されるものではない。
【００１９】
（実施の形態１）
図１は本発明の衣類収納庫の構成一例を示す図である。
【００２０】
衣類収納庫１は、読取手段２と、制御手段３と、報知手段４と、開閉スイッチ５と、防虫剤６ａ、６ｂと、防虫剤や衣類などを出し入れするための開口部７と、開口部を閉じるための扉８とを具備している。
【００２１】
防虫剤６ａ、６ｂには、無線ＩＣタグ２１ａ、２１ｂが添付されており、その無線ＩＣタグ２１ａ、２１ｂには、防虫剤６の成分に関する情報（成分情報）が記録されており、読取手段２により成分情報として読み取られる。
【００２２】
成分情報とは、樟脳（しょうのう）系、ナフタリン系、パラジクロルベンゼン系、ピレスロイド系といった防虫剤の主成分の情報である。
【００２３】
制御手段３は、無線ＩＣタグ２１ａ、２１ｂそれぞれの成分情報を比較することによって、異なる成分の防虫剤が混入しているかどうか、使用者に対して報知するべきかどうか、あるいは、どのような内容で報知するべきかといった判断を行なっていくことになる。これらの処理の流れについては図２を用いて以下で述べる。
【００２４】
図２は、本発明の実施の形態１の衣類管理の動作一連の流れを示す図である。
【００２５】
図２において、制御手段３は、開閉スイッチ５からの信号により、扉８が開けられた、あるいは、閉じられたことを検知する。扉８が一旦開けられて、閉じられたという情報により、衣類収納庫１の中から防虫剤６ａ、６ｂが取り出された、入れられた可能性があると判断する（ステップ３１）。
【００２６】
これは、防虫剤６ａ、６ｂの収納状況が変化する（防虫剤が収納された、あるいは取り出された）時には、必ず扉８の開閉を伴うからである。
【００２７】
制御手段３は読取手段２から、防虫剤２１ａに添付されている無線ＩＣタグ２１ａの素材情報を読み取る（ステップ３２）。同様に、制御手段３は読取手段２から、防虫剤６ｂに添付されている無線ＩＣタグ２１ｂの成分情報を読み取る（ステップ３３）。
【００２８】
衣類収納庫１には無線ＩＣタグ２１ａ、２１ｂ以外にも無線ＩＣタグが添付された防虫剤が存在する可能性があるので、何度も繰り返して全ての衣類情報を読み取る場合もありうる（図示していない）。
【００２９】
さらに、制御手段３は、無線ＩＣタグ２１ａ，２１ｂより読み取った成分情報を比較して、両者が一致しないようであれば（ステップ３４）、報知手段４より報知する（ステップ３５）。
【００３０】
このときの報知内容であるが、単に異常を知らせるだけのブザー音のようなものであっても構わないが、いろいろな手法で使用者に注意を促すことが効果的である。例えば、音だけでなく、音声や光、振動、文字表示板の文字情報のいずれか、あるいは、それらの組み合わせにより報知することが好ましい。
【００３１】
一般に使用者は防虫剤に関する関心はほとんどないが、ここで述べているような仕組みを衣類収納庫１に導入することで、思いもよらぬ重篤な衣類被害を回避できるようになる。
【００３２】
なお、異なる成分の防虫剤が混入した場合に起こりうる最大の問題は液化であって、そ
の液が大切な衣類に染み込んで、シミを作ってしまうということがあげられる。以前に入れていた防虫剤があったのに、それを意識せず、新たに購入した別の成分の防虫剤をいれてしまうといったことは充分にありうる話で、その結果、大切な衣類を台無しにしてしまうといったトラブルを未然に防ぐことが期待できる。
【００３３】
ここまでの説明では、無線ＩＣタグ２１ａ、２１ｂには、その無線ＩＣタグが添付されている殺虫剤６ａ、６ｂの成分情報を記録しているとしてきたが、さらに、同じ場所に保管してはいけない他の防虫剤の成分情報と、その結果生じる被害に関する情報（例えば溶けてしまう危険性があること）も記録されていることが考えられる。
【００３４】
この場合には、報知手段４から、予想される現象やトラブル状況（例えば溶けてしまう危険性があること）と共に報知して、さらに効果を上げることも考えられる。
【００３５】
実際には、他の防虫剤と併用しても問題の無い防虫剤（例えばピレスロイド系）というものも存在するので、そのような防虫剤の場合には、異なる成分の防虫剤と一緒になったとしても、報知を行なわないことも考えられる。
【００３６】
次に、図３を用いて扉８や衣類収納庫１の全体（側面パネル、背面パネル、底パネル、天井パネル）の構成について述べていく。
【００３７】
図３は、本発明の衣類収納庫の構成一例を示す図であるが、扉８や衣類収納庫１の全体に電磁波遮断物質（例えば金属）が添付されている点が図１と異なる点である。
【００３８】
図３において、衣類収納庫１の庫外に存在する防虫剤６ｃに添付された無線ＩＣタグ２１ｃは、衣類収納庫１の内部に存在する読取手段とは通信できない構造になっている。
【００３９】
これは、衣類収納庫１と、扉８を電磁波遮断物質（例えば金属）で構成する、あるいはそのような物質で覆って、衣類収納庫１の外部とは通信できないようにしているからである。
【００４０】
異なる成分の防虫剤同士であっても、庫内になければ特に問題とならないので、庫内に存在する防虫剤だけと通信するようにしている。
【００４１】
庫外に無線ＩＣタグが存在した場合、その存在は無視されるべきであるが、通信距離が長いアクティブタグ型の無線ＩＣタグでは、このような構造にしておくことは非常に効果的である。
【００４２】
また、パッシブタグ型の無線ＩＣタグであっても、特にＵＨＦ帯の無線ＩＣタグは条件によっては１０ｍ程度離れていても通信するので、このような無線ＩＣタグを用いる場合には、図３に示したような、衣類収納庫１と扉８を電磁波遮断物質で構成する、あるいは覆うとことは重要である。
【００４３】
一般的に用いられる１３．５６ＭＨｚ、あるいは、２．５４ＧＨｚ帯のものであれば数十センチメートル〜数メートル以下であるが、場合によっては衣類収納庫１の庫外に存在する無線ＩＣタグを読み取ってしまうことが想定される。
【００４４】
すなわち、たとえ数十センチでしか通信できないような場合でも、衣類収納庫１のそばに存在する、まったく関係のない無線ＩＣタグ（例えば使用者が着用している衣類の無線ＩＣタグ）から情報を読み出してしまう可能性はあるので、このような場合でも前述のように電磁波遮断物質で構成することは、大変好ましい結果が期待できる。
【００４５】
当然ながら、前述のように電磁波遮断物質で構成した場合でも、扉８がきちんと閉まっている時に無線ＩＣタグを読み取ることが好ましいのはいうまでもない。
【００４６】
この他にもさまざまな使い方が考えられるが、例えば、使用者の知らぬ間に防虫剤が無くなって大切な衣類が虫に食われていたということを避けるために、防虫剤に添付されている無線ＩＣタグの情報が一旦読み取れなくなって、再度読み取れるようになった場合には、防腐剤が取り替えられたという判断をして、次の交換時期（例えば交換後１ヶ月）になれば使用者に報知するというような使い方も考えられる。
【００４７】
さらには、防虫剤に添付されている無線ＩＣタグには、それぞれ固有のシリアル番号が記録されている場合には、今まで読み取れていたシリアル番号と異なるシリアル番号が検知された時点で、防虫剤が新しいものに交換されたと判断して、前述したのと同様に、次の交換時期（例えば交換後１ヶ月）になれば使用者に報知すると言った使い方も考えられる。
【００４８】
ここまでの説明では、読取手段２は衣類に添付された無線ＩＣタグの情報を読み取ることが出来るので、主たる用途は衣類の管理でありながら、今回の説明のように防虫剤の管理にも利用するといったケースが最も現実的であろう。
【００４９】
そのため、収納されている衣類を管理することは当然可能なことであって、例えば、衣類を詰めこんで収納すると、衣類収納庫のなかで防虫成分が行き渡りにくく効果も半減してしまうので、衣類収納は衣類収納庫の８０％程度の容量に抑えるべきであり、衣類情報より容量を算出して、一定の容量（例えば８０％）を超えて衣類を収納しようとした時に報知するといった使い方も考えられる。
【００５０】
ここまでは、読取手段２は電波を発して、その電波を受けた無線ＩＣタグ２１ａ、２１ｂは励起して情報を返答するパッシブ型の無線ＩＣタグを主に想定してきたが、この限りではなく、電池を内蔵したアクティブタグであっても同様の効果が得られる。
【００５１】
また、無線ＩＣタグ２１ａ、２１ｂに書き込まれている成分情報は、文字情報を想定してきたが、この限りではなく、例えば９６〜１２８ビット長のユニークなＩＤコードでもかまわない。この場合には、ＩＤコードを元にインターネット上に存在するような外部サーバ（図示せず）に、防虫剤６に関する禁止素材情報を制御手段３が、インターネット経由（図示せず）で問い合わせることもありうる。
【００５２】
さらに無線ＩＣタグ２１ａ、２１ｂにユーザ書込み可能な記憶エリア（メモリー）が内蔵されていて、その記憶エリア（メモリー）に成分に関する情報を書き込んで利用するといった使用方法も考えられる（図示せず）。
【００５３】
報知する判断基準もここで説明してきた方法に限定するわけではなく、例えば、製品の品目だけで、使用されている恐れのある素材をインターネット上のデータベースより調査して、その危険性を含めて報知するといったことも考えられる（図示せず）。これは、品名しかわからなかった場合に有効な手法である。
【００５４】
読取手段２は、本体以外にアンテナが接続されることもあるので、そのアンテナ配置は、収納されたすべての衣類と防虫剤に添付された無線ＩＣタグと通信可能なように考慮すべきであり、アンテナを複数個設けて、読取可能な領域（通信領域）を拡大するといったことも大変有益である（図示せず）。
【００５５】
ここまでは、衣類収納庫について説明してきたが、必ずしも衣類収納庫に限らず、物品収納庫であっても、例えば雛人形を収納する場合には、虫食い被害を防ぐために防虫剤を使用する可能性があるので、これまでと同様に問題解決できるものであり、衣類収納庫に限定はしていない。
【００５６】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバ等のハードリソースを協働させるプログラムの形態で実施してもよい。プログラムの形態であれば、磁気メディアや光メディアなどの記録媒体に記録、もしくはインターネットなどの通信回線を用いて配信することで新しい機能の配布・更新やそのインストール作業が簡単にできる。
【産業上の利用可能性】
【００５７】
以上のように、本発明は、衣類によって使用してはいけない防虫剤の存在を検知して、使用者に対して報知して、未然にトラブルを防ぐことが期待できるので、より安全な衣類収納庫を提供することが期待できる。
【００５８】
また、本発明は、衣類収納庫だけでなく、衣類ハンガーなど衣類用品に読取手段、報知手段、制御手段を備えて実施することも可能である。
【図面の簡単な説明】
【００５９】
【図１】本発明の実施の形態１の衣類収納庫の構成を示す図
【図２】本発明の実施の形態１の衣類管理の動作一連の流れを示すフローチャート
【図３】本発明の実施の形態１の衣類収納庫の構成を示す図
【符号の説明】
【００６０】
１  衣類収納庫
２  読取手段
３  制御手段
４  報知手段
５  開閉スイッチ
６ａ、６ｂ、６ｃ  防虫剤
７  開口部
８  扉
２０  衣類
２１ａ、２１ｂ、２１ｃ  無線ＩＣタグ（成分情報を備える）
【図１】
2008222370.tif 000003
【図２】
2008222370.tif 000004
【図３】
2008222370.tif 000005